(57)【要約】【課題】車体に組み付ける現場において、当該車種に合致する仕様のワイヤハーネスを低コストで簡単に製造できるようにする。【解決手段】特定サブハーネス１ａを複数回巻回し、特定サブハーネス１ａの巻回部分に１または２以上の他のサブハーネス１ｂ，１ｃ…を挿通し、これら他のサブハーネス１ｂ，１ｃ…を挿通した状態で特定サブハーネス１ａの両端を引っ張って各サブハーネス１ａ，１ｂ，１ｃ…を束ねる。そのため、従来のような布線治具や特別な編み上げ機などを用いる必要がなく、しかも車体の組み付け現場において、当該車種に合致する所定仕様のワイヤハーネス５を低コストで簡単に製造することができ、リードタイムを短くすることができる。【選択図】図１
2015076342.tif 000002
【特許請求の範囲】
【請求項１】
両端にコネクタが接続される複数のサブハーネスを束ねてワイヤハーネスを製造するワイヤハーネスの製造方法において、
一の前記サブハーネスを複数回巻回し、前記一のサブハーネスの巻回部分に１または２以上の他の前記サブハーネスを挿通し、前記他のサブハーネスを挿通した状態で前記一のサブハーネスの両端を引っ張って前記各サブハーネスを束ねることを特徴とするワイヤハーネスの製造方法。
【請求項２】
車種ごとの生産指示に従い、当該車種に応じた長さをそれぞれ有する前記各サブハーネスを準備し、前記一のサブハーネスの巻回部分に前記他のサブハーネスを挿通して束ねることを特徴とする請求項１に記載のワイヤハーネスの製造方法。
【発明の詳細な説明】
【技術分野】
【０００１】
この発明は、両端にコネクタが接続される複数のサブハーネスを束ねてワイヤハーネスを製造するワイヤハーネスの製造方法に関する。
【背景技術】
【０００２】
従来、車両に装備されるワイヤハーネスは、両端にコネクタを備えた複数のサブハーネスを一旦重ねて布線治具により布線し。布線されたサブハーネスを束ねて製造される。そして、このように製造されたワイヤハーネスのコネクタにＩＣタグを設けて管理することが行われている（例えば、特許文献１）。
【０００３】
上記した従来のワイヤハーネスでは、ＩＣタグの格納情報を読み取ることにより、当該ワイヤハーネスがどの車種に装備されるものか管理できるため、例えば海外の製造工場で複数車種ごとのワイヤハーネスを大量に製造してこれらを日本国内の車両組み立て工場に運搬し、車種ごとに分けて車両の組み立てラインで車体に組み付けることが一般に行われる。
【先行技術文献】
【特許文献】
【０００４】
【特許文献１】特開２００９−２１７９７７号公報（段落０００２，００１０，００１１および図１参照）
【発明の概要】
【発明が解決しようとする課題】
【０００５】
しかし、このようにワイヤハーネスの製造と車体への組み付けが異なる工場で実施される場合、適用車種に対応するワイヤハーネスの仕様の開示を受けてから実際に製造したワイヤハーネスを納入するまでのリードタイムが非常に長くなるため、同じ車種であってもグレードやオプションに応じた細かな仕様変更に迅速に対応することができず、このような仕様変更に対応するには、予想される仕様変更に応じた多様な種類のワイヤハーネスを予めロット生産して在庫として持っておくしかなく、実際には使用されない在庫を抱えてしまうなどの問題も生じるおそれがあり、無駄なコストがかかる。
【０００６】
また、多様な種類のワイヤハーネスを予めロット生産することから、端子の選択ミスやコネクタの挿入ミスを予防するために、サブハーネス（電線）を予め色分けしておくことが行われているが、運搬途中での端子の酸化、端子やランス部の損傷、サブハーネス（電線）の癖付き等が生じるおそれがあり、これらの予防策が新たに必要になり、その分手間がかかりコストの上昇を招くという不都合が生じる。
【０００７】
本発明は、車体に組み付ける現場において、当該車種に合致する仕様のワイヤハーネスを低コストで簡単に製造できるようにすることを目的とする。
【課題を解決するための手段】
【０００８】
上記した目的を達成するために、本発明のワイヤハーネスの製造方法は、両端にコネクタが接続される複数のサブハーネスを束ねてワイヤハーネスを製造するワイヤハーネスの製造方法において、一の前記サブハーネスを複数回巻回し、前記一のサブハーネスの巻回部分に１または２以上の他の前記サブハーネスを挿通し、前記他のサブハーネスを挿通した状態で前記一のサブハーネスの両端を引っ張って前記各サブハーネスを束ねることを特徴としている（請求項１）。
【０００９】
また、車種ごとの生産指示に従い、当該車種に応じた長さをそれぞれ有する前記各サブハーネスを準備し、前記一のサブハーネスの巻回部分に前記他のサブハーネスを挿通して束ねるようにするとよい（請求項２）。
【発明の効果】
【００１０】
請求項１に係る発明によれば、一のサブハーネスを複数回巻回し、一のサブハーネスの巻回部分に１または２以上の他のサブハーネスを挿通し、他のサブハーネスを挿通した状態で一のサブハーネスの両端を引っ張って各サブハーネスを束ねるため、従来のような布線治具や特別な編み上げ機などを用いる必要がなく、しかも車体の組み付け現場において、当該車種に合致する所定仕様のワイヤハーネスを低コストで簡単に製造することができ、リードタイムを短くすることができる。
【００１１】
また、車体の組み付け現場で所定仕様のワイヤハーネスを製造できるため、海外からの運搬も不要になり、運搬中における端子の酸化、端子やランス部の損傷、サブハーネスの癖付きなどが生じることもなく、ワイヤハーネスの信頼性向上を図ることができる。
【００１２】
また、請求項２に係る発明によれば、車種ごとの生産指示に従い、当該車種に応じた長さをそれぞれ有する各サブハーネスを準備してワイヤハーネスを製造するため、生産指示を受けた車種に対する所定仕様のワイヤハーネスを、車体の組み付け現場で簡単に製造することができ、従来のような在庫を抱えることもなくコストダウンを図ることができる。
【図面の簡単な説明】
【００１３】
【図１】本発明に係るワイヤハーネスの製造方法の一実施形態を示し、製造途中の各工程の概略図である。
【発明を実施するための形態】
【００１４】
本発明に係るワイヤハーネスの製造方法の一実施形態について、図１を参照して詳細に説明する。
【００１５】
まず、車種ごとの生産指示を受けると、車体の組み付け現場において、図１（ａ），（ｂ），（ｃ）に示すように、その車種に応じた長さをそれぞれ有する複数のサブハーネス１ａ，１ｂ，１ｃ…を準備し、各サブハーネス１ａ，１ｂ，１ｃ…の両端にコネクタ端子２ａ，２ｂ，２ｃ…をそれぞれ圧着して取り付け、同図（ｄ）に示すように、本発明における一のサブハーネスに相当する特定サブハーネス１ａの両端をコネクタ３に接続して複数回巻回する。
【００１６】
そして、図１(ｅ)に示すように、特定サブハーネス１ａの巻回部分に他のサブハーネス１ｂを挿通してその両端をコネクタ３に接続し、続いて同図(ｆ)に示すように、特定サブハーネス１ａの巻回部分にさらに他のサブハーネス１ｃを挿通してその両端をコネクタ３に接続する。
【００１７】
このようにして、特定サブハーネス１ａの巻回部分に複数の他のサブハーネス１ｂ，１ｃ…を挿通した後、図１（ｇ）に示すように、特定サブハーネス１ａの両端を引っ張り、すべてのサブハーネス１ａ，１ｂ，１ｃ…を束ね、同図（ｈ）に示すように、束ねた状態の各サブハーネス１ａ，１ｂ，１ｃ…にコルゲートと称される外装部材４を装着して、生産指示を受けた車種に対応するワイヤハーネス５を製造する。
【００１８】
したがって、上記した実施形態によれば、特定サブハーネス１ａを複数回巻回し、特定サブハーネス１ａの巻回部分に１または２以上の他のサブハーネス１ｂ，１ｃ…を挿通し、これら他のサブハーネス１ｂ，１ｃ…を挿通した状態で特定サブハーネス１ａの両端を引っ張って各サブハーネス１ａ，１ｂ，１ｃ…を束ねるため、従来のような布線治具や特別な編み上げ機などを用いる必要がなく、しかも車体の組み付け現場において、当該車種に合致する所定仕様のワイヤハーネス５を低コストで簡単に製造することができ、リードタイムを短くすることが可能になる。
【００１９】
また、車体の組み付け現場で所定仕様のワイヤハーネス５を製造できるため、海外からの運搬も不要になり、運搬中における端子の酸化、コネクタ端子やランス部の腐食、損傷、サブハーネスの癖付きなどが生じることを未然に防止でき、ワイヤハーネス５の信頼性向上を図ることができる。
【００２０】
また、車種ごとの生産指示に従い、当該車種に応じた長さをそれぞれ有する各サブハーネス１ａ，１ｂ，１ｃ…を準備してワイヤハーネス５を製造するため、生産指示を受けた車種に対する所定仕様のワイヤハーネス５を、車体の組み付け現場で簡単に製造することができ、従来のような在庫を抱えることもなくコストダウンを図ることが可能になる。
【００２１】
なお、本発明は上記した実施形態に限定されるものではなく、その趣旨を逸脱しない限りにおいて上述したもの以外に種々の変更を行なうことが可能である。
【００２２】
例えば、上記した実施形態では、３本のサブハーネス１ａ，１ｂ，１ｃの例を図１に示しているが、４本以上であっても本発明を同様に実施することができ、枝ハーネスを有する場合であっても同様である。
【００２３】
また、各サブハーネス１ａ，１ｂ，１ｃ…を束ねた後に、各サブハーネス１ａ，１ｂ，１ｃ…の両端をコネクタ３に接続するようにしてもよい。
【符号の説明】
【００２４】
１a    …特定サブハーネス（一のサブハーネス）
１ｂ，１ｃ    …他のサブハーネス
３  …コネクタ
５  …ワイヤハーネス
【図１】
2015076342.tif 000003